(57)【要約】【課題】部品の取り外す際のソルダーレジストの剥離を抑制することができるプリント基板及びその製造方法を提供する。【解決手段】プリント基板には、表面にソルダーレジスト１２を有する実装基板１０と、実装基板１０に搭載された部品３０と、実装基板１０に部品３０を固定するアンダーフィル材２０と、ソルダーレジスト１２とアンダーフィル材２０との間に点在する複数の樹脂材２１と、が設けられている。樹脂材２１のソルダーレジスト１２に対する接着強度が低下し始める温度は、アンダーフィル材２０のソルダーレジスト１２に対する接着強度が低下し始める温度よりも低い。【選択図】図１
2013211382.tif 000002
【特許請求の範囲】
【請求項１】
表面にソルダーレジストを有する実装基板と、
前記実装基板に搭載された部品と、
前記実装基板に前記部品を固定するアンダーフィル材と、
前記ソルダーレジストと前記アンダーフィル材との間に点在する複数の樹脂材と、
を有することを特徴とするプリント基板。
【請求項２】
前記樹脂材の軟化点は前記アンダーフィル材の軟化点よりも低いことを特徴とする請求項１に記載のプリント基板。
【請求項３】
前記樹脂材の軟化点は前記部品の動作温度よりも高いことを特徴とする請求項１又は２に記載のプリント基板。
【請求項４】
前記複数の樹脂材が前記ソルダーレジストと接する面の総面積は、前記ソルダーレジストが前記アンダーフィル材により覆われている面の面積の２０％乃至８０％であることを特徴とする請求項１乃至３のいずれか１項に記載のプリント基板。
【請求項５】
実装基板の表面に形成されたソルダーレジスト上に複数の樹脂材を点在させる工程と、
前記実装基板上に部品を搭載する工程と、
前記実装基板と前記部品との間の隙間及び前記樹脂材と前記部品との隙間に、前記実装基板に前記部品を固定するアンダーフィル材を設ける工程と、
を有することを特徴とするプリント基板の製造方法。
【請求項６】
前記樹脂材の軟化点は前記アンダーフィル材の軟化点よりも低いことを特徴とする請求項５に記載のプリント基板の製造方法。
【請求項７】
前記樹脂材の軟化点は前記部品の動作温度よりも高いことを特徴とする請求項５又は６に記載のプリント基板の製造方法。
【請求項８】
前記複数の樹脂材が前記ソルダーレジストと接する面の総面積を、前記ソルダーレジストが前記アンダーフィル材により覆われる面の面積の２０％乃至８０％とすることを特徴とする請求項５乃至７のいずれか１項に記載のプリント基板の製造方法。
【請求項９】
前記複数の樹脂材を点在させる工程は、
治具に設けられた複数のピンの先端に樹脂材を付着させる工程と、
前記樹脂材を前記ソルダーレジストに接触させる工程と、
前記治具を引き上げて前記ソルダーレジスト上に前記樹脂材を残存させる工程と、
を有することを特徴とする請求項５乃至８のいずれか１項に記載のプリント基板の製造方法。
【請求項１０】
前記複数の樹脂材を点在させる工程において、前記複数の樹脂材の頂部の位置を、前記実装基板の電極上のはんだペーストの頂部の位置よりも前記実装基板側にすることを特徴とする請求項５乃至９のいずれか１項に記載のプリント基板の製造方法。
【請求項１１】
前記複数の樹脂材を点在させる工程において、前記複数の樹脂材を、前記実装基板の電極上のはんだペーストから離間して配置することを特徴とする請求項５乃至１０のいずれか１項に記載のプリント基板の製造方法。
【発明の詳細な説明】
【技術分野】
【０００１】
本発明は、プリント基板及びその製造方法に関する。
【背景技術】
【０００２】
近年、マザーボード（システムボード）などの大型の実装基板に、多数のピンを有するボールグリッドアレイ（ＢＧＡ：ball grid array）の半導体チップ及びパッケージ等の部品が搭載されることが増えてきた。一般的に、これらの部品は、搭載後にアンダーフィル材を用いて実装基板に固定される。部品に含まれる大規模集積回路（ＬＳＩ：large scale integration）に故障等が生じることがあるが、その場合には当該部品の交換を行えばよい。
【０００３】
しかしながら、部品の交換の際に、部品及びアンダーフィル材が取り外されるだけなく、実装基板の表面に形成されているソルダーレジストが剥ぎ取られてしまうことがある。また、ソルダーレジストの剥離に伴って、実装基板の表面のバンプまでもが外れてしまうことがある。このような場合、実装基板を使用することが困難となってしまう。
【先行技術文献】
【特許文献】
【０００４】
【特許文献１】特開平８−３２１９９号公報
【特許文献２】特開２００４−１８６２８７号公報
【特許文献３】特開２００１−７４８８号公報
【発明の概要】
【発明が解決しようとする課題】
【０００５】
本発明の目的は、部品の取り外す際のソルダーレジストの剥離を抑制することができるプリント基板及びその製造方法を提供することにある。
【課題を解決するための手段】
【０００６】
プリント基板の一態様には、表面にソルダーレジストを有する実装基板と、前記実装基板に搭載された部品と、前記実装基板に前記部品を固定するアンダーフィル材と、前記ソルダーレジストと前記アンダーフィル材との間に点在する複数の樹脂材と、が設けられている。
【０００７】
プリント基板の製造方法の一態様では、実装基板の表面に形成されたソルダーレジスト上に複数の樹脂材を点在させ、前記実装基板上に部品を搭載し、前記実装基板と前記部品との間の隙間及び前記樹脂材と前記部品との隙間に、前記実装基板に前記部品を固定するアンダーフィル材を設ける。
【発明の効果】
【０００８】
上記のプリント基板等によれば、ソルダーレジスト上に適切な複数の樹脂材が設けられるため、部品の取り外す際のアンダーフィル材の剥離を容易にし、ソルダーレジストの剥離を抑制することができる。
【図面の簡単な説明】
【０００９】
【図１】第１の実施形態に係るプリント基板の構成を示す図である。
【図２】部品３０を取り外した状態を示す図である。
【図３】参考例を示す図である。
【図４Ａ】第１の実施形態に係るプリント基板の製造方法を工程順に示す断面図である。
【図４Ｂ】図４Ａに引き続き、プリント基板の製造方法を工程順に示す断面図である。
【図４Ｃ】図４Ｂに引き続き、プリント基板の製造方法を工程順に示す断面図である。
【図４Ｄ】図４Ｃに引き続き、プリント基板の製造方法を工程順に示す断面図である。
【図５】パッド１１のレイアウトの例を示す図である。
【図６】第２の実施形態に係るプリント基板の構成を示す図である。
【発明を実施するための形態】
【００１０】
以下、実施形態について添付の図面を参照しながら具体的に説明する。
【００１１】
（第１の実施形態）
先ず、第１の実施形態について説明する。図１は、第１の実施形態に係るプリント基板の構成を示す図である。図１（ａ）は平面図であり、図１（ｂ）は断面図である。
【００１２】
第１の実施形態では、図１に示すように、実装基板１０に部品３０が搭載されている。部品３０は、アンダーフィル材２０により実装基板１０に固定されている。実装基板１０の表面には複数のパッド（電極）１１が配置されており、その周囲にソルダーレジスト１２が形成されている。つまり、実装基板１０の表面の大部分はソルダーレジスト１２により覆われており、ソルダーレジスト１２により覆われていない部分にパッド１１が配置されている。部品３０は、例えばＢＧＡの半導体チップであり、部品３０の実装基板１０と対向する面に、パッド１１と対向するようにして複数のパッド（電極）３１が配置されている。そして、パッド１１とパッド３１とが接続材２３により接続されている。接続材２３は、例えばはんだ材である。更に、ソルダーレジスト１２上に複数の樹脂材２１が点在している。アンダーフィル材２０は、実装基板１０と部品３０との間の隙間を埋めるようにして形成されている。従って、アンダーフィル材２０は、樹脂材２１を覆うようにして実装基板１０上に位置しており、複数の樹脂材２１は、ソルダーレジスト１２とアンダーフィル材２０との間に点在している。また、ソルダーレジスト１２の樹脂材２１により覆われていない領域はアンダーフィル材２０と接している。
【００１３】
ここで、昇温した場合に、樹脂材２１の材料としては、そのソルダーレジスト１２に対する接着強度が低下し始める温度が、アンダーフィル材２０のソルダーレジスト１２に対する接着強度が低下し始める温度よりも低いものが用いられる。
【００１４】
このようにして表面実装型のプリント基板が構成されている。そして、故障等の理由により部品３０を交換する場合には、プリント基板を昇温する。プリント基板の昇温に伴ってアンダーフィル材２０及び樹脂材２１の温度が上昇する。樹脂材２１のソルダーレジスト１２に対する接着強度が低下し始める温度が、アンダーフィル材２０のソルダーレジスト１２に対する接着強度が低下し始める温度よりも低いため、アンダーフィル材２０よりも先に樹脂材２１がソルダーレジスト１２から剥がれやすくなる。そして、更に昇温が継続されると、アンダーフィル材２０のソルダーレジスト１２に対する接着強度が低下し始める。このとき、既に樹脂材２１がソルダーレジスト１２から剥がれやすくなっているため、この部分からアンダーフィル材２０のソルダーレジスト１２からの剥離が広がる。従って、図２に示すように、ソルダーレジスト１２が実装基板１０から剥がれることなく、アンダーフィル材２０が実装基板１０から剥離される。また、ソルダーレジスト１２が実装基板１０から剥がれないため、パッド１１が実装基板１０から外れにくい。図２（ａ）は断面図であり、図２（ｂ）には部品３０を取り外した後の実装基板１０の上面を示してある。図２（ｂ）に示すように、実装基板１０のソルダーレジスト１２の下方には、パッド１１同士を繋ぐ配線１６等の種々の配線が形成されているが、ソルダーレジスト１２の剥離が生じないため、これら配線のソルダーレジスト１２による保護を維持することができる。
【００１５】
一方、図３（ａ）に示す参考例のように、樹脂材２１が設けられていない場合に、部品３０を交換するためにプリント基板を昇温したとしても、アンダーフィル材２０のソルダーレジスト１２に対する接着強度が十分に低下していなければ、図３（ｂ）及び（ｃ）に示すように、ソルダーレジスト１２の剥離が生じることがある。また、ソルダーレジスト１２の剥離に伴ってパッド１１の離脱が生じることもある。ソルダーレジスト１２の剥離が生じた場合、その下に配線１６等の配線が存在すれば、それが露出することになる。配線の露出は、新しい部品を実装した後での短絡の原因となりかねない。
【００１６】
なお、第１の実施形態では、アンダーフィル材２０のソルダーレジスト１２に対する接着強度がこの参考例と同程度に低下していれば、既に樹脂材２１がソルダーレジスト１２から剥がれやすくなっているため、このような問題は生じにくい。このように、第１の実施形態によれば、部品３０を取り外す際のソルダーレジスト１２の剥離を著しく抑制することができる。
【００１７】
また、樹脂材２１がソルダーレジスト１２とアンダーフィル材２０との間の全体に広がって形成されている場合には、アンダーフィル材２０による部品３０の固定が不十分になる虞がある。これに対し、第１の実施形態では、ソルダーレジスト１２の樹脂材２１により覆われていない領域にアンダーフィル材２０が接しているため、部品３０は、アンダーフィル材２０により実装基板１０に十分に固定される。
【００１８】
次に、第１の実施形態に係るプリント基板の製造方法について説明する。図４Ａ乃至図４Ｄは、第１の実施形態に係るプリント基板の製造方法を工程順に示す断面図である。
【００１９】
先ず、図４Ａ（ａ）に示すように、配線及びパッド１１が形成された実装基板１０の表面にソルダーレジスト１２を形成する。このとき、ソルダーレジスト１２の上面はパッド１１の上面よりも高く位置させる。その差は、例えば２０μｍ程度である。次いで、図４Ａ（ｂ）に示すように、パッド１１に整合する開口部１４を有するマスク１３をソルダーレジスト１２上に設ける。マスク１３としては、例えばメタルマスクを用いる。マスク１３の厚さは、パッド１１上に形成しようとするはんだペーストの量に応じて決定する。その後、図４Ａ（ｃ）に示すように、マスク１３を用いた印刷法によりパッド１１上にはんだペースト１５を設ける。そして、マスク１３を取り外す。
【００２０】
また、図４Ｂ（ｄ）に示すように、所定の深さの収納部４５を備えた容器４１に液状の樹脂材２１を準備する。また、複数のピン４３がピン支持部４４に支持された治具４２を準備する。複数のピン４３は、例えば、ソルダーレジスト１２上に配置しようとする複数の樹脂材２１のパターンと同一のパターンで配列している。また、治具４２は、例えばステンレス製である。次いで、図４Ｂ（ｅ）に示すように、各ピン４３を樹脂材２１内に浸漬させ、各ピン４３の先端を収納部４５の底面に当接させる。その後、図４Ｂ（ｆ）に示すように、治具４２を引き上げる。各ピン４３の先端には、樹脂材２１がほぼ一定の量で付着する。
【００２１】
次いで、図４Ｃ（ｇ）に示すように、各ピン４３の先端に樹脂材２１が付着した治具４２を実装基板１０の上方に移動させる。そして、図４Ｃ（ｈ）に示すように、治具４２を降下させて樹脂材２１をソルダーレジスト１２に接触させる。このとき、ピン４３の先端をソルダーレジスト１２に接触させてもよい。その後、図４Ｃ（ｉ）に示すように、治具４２を引き上げる。この結果、各ピン４３の先端に付着していた樹脂材２１がソルダーレジスト１２上に残存する。つまり、ソルダーレジスト１２上に樹脂材２１が転写される。各ピン４３の先端に付着していた樹脂材２１の量がほぼ一定であるため、ソルダーレジスト１２上の各箇所に残る樹脂材２１の量もほぼ一定となる。なお、例えば、樹脂材２１をはんだペースト１５から離間して配置し、樹脂材２１の頂部の位置は、はんだペースト１５の頂部の位置よりも実装基板１０側にする。樹脂材２１がはんだペースト１５から離間せずに、はんだペースト１５と接している場合、その後に良好な接続材２３が得られなくなることがある。また、アンダーフィル材２０とソルダーレジスト１２との接触面積が十分とならなくなることもある。また、樹脂材２１の頂部の位置がはんだペースト１５の頂部の位置よりも実装基板１０から離間している場合、つまり、樹脂材２１が高すぎる場合、その後に樹脂材２１が流動してはんだペースト１５に付着する可能性が高くなる。この場合も、その後に良好な接続材２３が得られなくなることがあり、アンダーフィル材２０とソルダーレジスト１２との接触面積が十分とならなくなることもある。
【００２２】
続いて、図４Ｄ（ｊ）に示すように、パッド３１上にはんだボール３２が設けられた部品３０を、はんだボール３２がはんだペースト１５に接するように、実装基板１０上に載置する。次いで、加熱によりはんだペースト１５及びはんだボール３２を溶融させ、その後の冷却により溶融したはんだペースト１５及びはんだボール３２を凝固させる。この結果、図４Ｄ（ｋ）に示すように、はんだペースト１５及びはんだボール３２から接続材２３が形成され、部品３０が実装基板１０に搭載される。この加熱の温度及び時間は、はんだペースト１５及びはんだボール３２の材料の融点等を考慮して決定すればよい。例えば、１５０℃以上の温度に３分間〜４分間程度保持する。また、この加熱の結果、樹脂材２１がその材料に応じて半硬化状態又は全硬化状態となる。続いて、図４Ｄ（ｌ）に示すように、部品３０と実装基板１０との間の隙間にアンダーフィル材２０を流入させ、これを加熱により硬化させる。この加熱の温度及び時間は、アンダーフィル材２０の材料の硬化温度、並びに接続材２３の材料の融点等を考慮して決定すればよい。例えば、１２５℃〜１５０℃の温度に１５分間〜２０分間程度保持する。アンダーフィル材２０の流入は、例えばアンダーフィル材２０の材料の塗布により行う。
【００２３】
このようにして、第１の実施形態に係るプリント基板を製造することができる。
【００２４】
なお、容器４１の収納部４５の深さは特に限定されないが、ソルダーレジスト１２上に付着させる樹脂材２１の量に応じて決定することが好ましい。樹脂材２１の粘度にもよるが、例えば、ソルダーレジスト１２上に付着させる樹脂材２１の高さの２倍程度とする。
【００２５】
また、アンダーフィル材２０の材料及び樹脂材２１の材料は特に限定されない。例えば、アンダーフィル材２０の材料がエポキシ系樹脂の場合、樹脂材２１の材料としては、当該アンダーフィル材２０よりも軟化点（軟化温度）が低いエポキシ系樹脂又はアクリル系樹脂を用いることが好ましい。
【００２６】
また、複数のピン４３の長さ及び太さが、樹脂材２１を付着させようとするアンダーフィル材２０上の位置とその周囲のはんだペースト１５との距離等に応じて相違していてもよい。例えば、はんだペースト１５が疎な領域に設けられる樹脂材２１は比較的大きくてもよく、その大きさに応じてピン４３が太くなっていてもよい。逆に、はんだペースト１５が密な領域に設けられる樹脂材２１は比較的小さいことが好ましく、その大きさに応じてピン４３が細くなっていてもよい。
【００２７】
更に、パッド１１のレイアウトは特に限定されることはなく、図５（ａ）に示すように、比較的規則的に配置されていてもよく、図５（ｂ）に示すように、比較的変則的に配置されていてもよい。そして、樹脂材２１の形成に際しては、これらのパッド１１のレイアウトに応じてピン４３がレイアウトされた治具４２を用いれば、容易に樹脂材２１を所望の位置に配置することが可能である。なお、樹脂材２１の形成は、上述のような治具を用いた転写に限らず、スクリーン印刷、インクジェット方式の印刷により行うことも可能であるが、治具を用いた転写が精度、コスト等の点で好ましい。
【００２８】
（第２の実施形態）
次に、第２の実施形態について説明する。図６は、第２の実施形態に係るプリント基板の構成を示す図である。
【００２９】
第１の実施形態は、部品３０と実装基板１０との間の隙間の全体にアンダーフィル材２０が設けられているのに対し、第２の実施形態では、アンダーフィル材２０が、平面形状が矩形の部品３０の４隅近傍のみに設けられている。他の構成は第１の実施形態と同様である。例えば、第１の実施形態は全浸透塗布方式とよばれ、第２の実施形態はコーナーボンド方式とよばれることがある。
【００３０】
このように、第２の実施形態では、アンダーフィル材２０が設けられている位置が相違していることを除き、第１の実施形態と同様の構成を有している。そして、第２の実施形態においても、第１の実施形態と同様に、部品３０が取り外される際のソルダーレジスト１２の剥離を抑制することができる。
【００３１】
なお、第１の実施形態、第２の実施形態のいずれにおいても、樹脂材２１がソルダーレジスト１２と接する面の総面積は、ソルダーレジスト１２がアンダーフィル材２０により覆われている面の面積の２０％乃至８０％であることが好ましい。この面積率が２０％未満であると、樹脂材２１を設けたことにより得られる剥離性の向上の効果が不足する場合があり、８０％超であると、ソルダーレジスト１２とアンダーフィル材２０との接触面積が小さく、十分な接着強度を確保することが困難なことがある。また、この面積率は、５０％以上であることがより好ましく、７０％以下であることもより好ましい。
【符号の説明】
【００３２】
１０：実装基板
１２：ソルダーレジスト
２０：アンダーフィル材
２１：樹脂材
２３：接続材
３０：部品
【図１】
2013211382.tif 000003
【図２】
2013211382.tif 000004
【図３】
2013211382.tif 000005
【図４Ａ】
2013211382.tif 000006
【図４Ｂ】
2013211382.tif 000007
【図４Ｃ】
2013211382.tif 000008
【図４Ｄ】
2013211382.tif 000009
【図５】
2013211382.tif 000010
【図６】
2013211382.tif 000011